(57)【特許請求の範囲】
【請求項１】
一方の面同士が間隙を介して互いに対向配置され、金属材料で構成された部分を有する一対の基板と、
前記各基板の他方の面にそれぞれ少なくとも１つ設置され、発光ダイオード素子を有する発光装置と、
一端が開口した開口部を有し、前記各基板を前記発光装置ごと収納する筒体で構成され、前記基板同士を前記間隙を介して互いに対向させたままの状態で前記筒体の中心軸と平行に支持する支持部を有するハウジングとを備え、
前記各発光装置からの光が前記開口部を介して外方へ照射されるよう構成され、
前記支持部は、前記間隙に挿入される小片と、前記各基板の縁部を、前記小片ごと挟持する挟持片とを有していることを特徴とする光源装置。
【請求項２】
前記ハウジングは、前記各基板および前記支持部を介して前記発光装置からの熱を受け、該熱を放熱する機能を有する請求項１に記載の光源装置。
【請求項３】
前記支持部は、前記各基板を前記ハウジングの内周部に対し両持支持または片持支持するものである請求項１または２に記載の光源装置。
【請求項４】
前記各基板は、それぞれ、前記支持部を介して両持支持されており、
前記間隙を前記中心軸が通っている請求項３に記載の光源装置。
【請求項５】
前記各基板は、それぞれ、前記支持部を介して片持支持されており、
前記一対の基板が前記中心軸回りに複数組配置されている請求項３に記載の光源装置。
【請求項６】
前記一対の基板は、第１の間隙を介して互いに離間しており、
前記複数組の基板同士は、前記中心軸側の縁部が第２の間隙を介して互いに離間している請求項５に記載の光源装置。
【請求項７】
前記ハウジングは、内周面が湾曲凹面で構成され、その内部空間が前記複数組の基板によって、複数の空間に隔てられており、
前記各空間同士の間に温度差が生じた際、前記第２の間隙を介して前記各空間のうちの、温度が高い方の空間から温度が低い方の空間に向って空気が流れるとともに、前記湾曲凹面によって前記空気に熱対流が生じる請求項６に記載の光源装置。
【請求項８】
前記各基板は、それぞれ、前記金属材料で構成された金属層と、該金属層上に設けられ、樹脂材料で構成された樹脂層とを有する積層体である請求項１ないし７のいずれかに記載の光源装置。
【請求項９】
前記間隙の間隙距離は、０．５〜７．０ｍｍである請求項１ないし８のいずれかに記載の光源装置。
【請求項１０】
前記ハウジングは、金属材料で構成されている請求項１ないし９のいずれかに記載の光源装置。
【請求項１１】
前記ハウジングの内周部には、前記各発光装置からの光を反射する光反射部が設置されている請求項１ないし１０のいずれかに記載の光源装置。
【請求項１２】
前記各発光装置は、それぞれ、発する光の光軸が前記基板の法線と平行となるように設置されている請求項１ないし１１のいずれかに記載の光源装置。
【請求項１３】
前記各発光装置は、それぞれ、該発光装置が設置された前記基板に対し前記ハウジングの他端側に偏在している請求項１ないし１２のいずれかに記載の光源装置。
【請求項１４】
前記基板は、その厚さ方向に貫通する多数の貫通孔を有する請求項１ないし１３のいずれかに記載の光源装置。
【請求項１５】
請求項１ないし１４のいずれかに記載の光源装置を備えることを特徴とする照明器具。
【発明の詳細な説明】
【技術分野】
【０００１】
本発明は、光源装置およびそれを備える照明器具に関する。
【背景技術】
【０００２】
発光ダイオード（ＬＥＤ）素子を有する、いわゆる「ＬＥＤ電球」が知られている。このＬＥＤ電球としては、複数個の発光ダイオード素子と、これらの発光ダイオード素子が行列状に配置される基板と、基板を発光ダイオード素子ごと収納する筒状のハウジングと、ハウジングの基端部に設置された口金と、ハウジングの先端部に設置された蓋体としてのカバーとを備えたものがある（例えば、特許文献１参照）。
【０００３】
特許文献１に記載のＬＥＤ電球では、基板は、ハウジングの中心軸に対し直交して配置されている。そして、このように配置される基板は、ハウジングの内周部に嵌合するリング状の支持部材によって支持されている。
【０００４】
ところで、発光ダイオード素子は、発光するに伴い、発熱するため、ＬＥＤ電球では、その熱を放出する必要があり、ハウジングを介して放熱するのが好ましい。
【０００５】
しかしながら、特許文献１に記載の電球では、基板とハウジングとが支持部材を介して連結されているのみである、すなわち、基板とハウジングと接触面積が比較的少ないため、発光ダイオード素子で生じた熱が基板からハウジングへ十分に伝わらず、その結果、ハウジングでの放熱が不十分となるという問題があった。
【０００６】
また、特許文献１に記載のＬＥＤ電球では、基板上に発光ダイオード素子が行列状に配置されるが、この配置形態によっては、光が均一に照射されない、すなわち、ＬＥＤ電球下で比較的明るいところと比較的暗いところとが顕著に生じてしまう場合があるという問題もあった。
【先行技術文献】
【特許文献】
【０００７】
【特許文献１】特開２００６−１５６１８７号公報
【発明の概要】
【発明が解決しようとする課題】
【０００８】
本発明の目的は、放熱性に優れ、光を均一に照射することができる光源装置および照明器具を提供することにある。
【課題を解決するための手段】
【０００９】
このような目的は、下記（１）〜（１５）の本発明により達成される。
（１）  一方の面同士が間隙を介して互いに対向配置され、金属材料で構成された部分を有する一対の基板と、
前記各基板の他方の面にそれぞれ少なくとも１つ設置され、発光ダイオード素子を有する発光装置と、
一端が開口した開口部を有し、前記各基板を前記発光装置ごと収納する筒体で構成され、前記基板同士を前記間隙を介して互いに対向させたままの状態で前記筒体の中心軸と平行に支持する支持部を有するハウジングとを備え、
前記各発光装置からの光が前記開口部を介して外方へ照射されるよう構成され、
前記支持部は、前記間隙に挿入される小片と、前記各基板の縁部を、前記小片ごと挟持する挟持片とを有していることを特徴とする光源装置。
【００１０】
（２）  前記ハウジングは、前記各基板および前記支持部を介して前記発光装置からの熱を受け、該熱を放熱する機能を有する上記（１）に記載の光源装置。
【００１１】
（３）  前記支持部は、前記各基板を前記ハウジングの内周部に対し両持支持または片持支持するものである上記（１）または（２）に記載の光源装置。
【００１２】
（４）  前記各基板は、それぞれ、前記支持部を介して両持支持されており、
前記間隙を前記中心軸が通っている上記（３）に記載の光源装置。
【００１３】
（５）  前記各基板は、それぞれ、前記支持部を介して片持支持されており、
前記一対の基板が前記中心軸回りに複数組配置されている上記（３）に記載の光源装置。
【００１４】
（６）  前記一対の基板は、第１の間隙を介して互いに離間しており、
前記複数組の基板同士は、前記中心軸側の縁部が第２の間隙を介して互いに離間している上記（５）に記載の光源装置。
【００１５】
（７）  前記ハウジングは、内周面が湾曲凹面で構成され、その内部空間が前記複数組の基板によって、複数の空間に隔てられており、
前記各空間同士の間に温度差が生じた際、前記第２の間隙を介して前記各空間のうちの、温度が高い方の空間から温度が低い方の空間に向って空気が流れるとともに、前記湾曲凹面によって前記空気に熱対流が生じる上記（６）に記載の光源装置。
【００１７】
（８）  前記各基板は、それぞれ、前記金属材料で構成された金属層と、該金属層上に設けられ、樹脂材料で構成された樹脂層とを有する積層体である上記（１）ないし（７）のいずれかに記載の光源装置。
【００１８】
（９）  前記間隙の間隙距離は、０．５〜７．０ｍｍである上記（１）ないし（８）のいずれかに記載の光源装置。
【００１９】
（１０）  前記ハウジングは、金属材料で構成されている上記（１）ないし（９）のいずれかに記載の光源装置。
【００２０】
（１１）  前記ハウジングの内周部には、前記各発光装置からの光を反射する光反射部が設置されている上記（１）ないし（１０）のいずれかに記載の光源装置。
【００２１】
（１２）  前記各発光装置は、それぞれ、発する光の光軸が前記基板の法線と平行となるように設置されている上記（１）ないし（１１）のいずれかに記載の光源装置。
【００２２】
（１３）  前記各発光装置は、それぞれ、該発光装置が設置された前記基板に対し前記ハウジングの他端側に偏在している上記（１）ないし（１２）のいずれかに記載の光源装置。
【００２３】
（１４）  前記基板は、その厚さ方向に貫通する多数の貫通孔を有する上記（１）ないし（１３）のいずれかに記載の光源装置。
【００２４】
（１５） 上記（１）ないし（１４）のいずれかに記載の光源装置を備えることを特徴とする照明器具。
【発明の効果】
【００２５】
本発明によれば、ハウジングが支持部で基板との接触面積をできる限り大きく確保することができる。そして、各発光装置がそれぞれ発光に伴い発熱した際、その熱は、基板および支持部を順に介してハウジングに十分かつ確実に伝達される。さらに、ハウジングで受けた熱は当該ハウジングから外部に放熱される。よって、本発明は放熱性に優れるものである。
【００２６】
また、本発明によれば、各発光装置からの光は、それぞれ、ハウジング内で乱反射して、そのほとんどが当該ハウジングの開口部に向かうこととなる。そして、ハウジングの開口部に向かった光は、当該開口部から確実に出射することができ、外方へ均一に照射されることとなる。
【図面の簡単な説明】
【００２７】
【図１】本発明の照明器具を電球に適用した場合の第１実施形態を示す斜視図である。
【図２】図１に示す電球の部分縦断面図である。
【図３】図２中のＡ−Ａ線断面図である。
【図４】図２中のＢ−Ｂ線断面図である。
【図５】図４中の一点鎖線で囲まれた領域［Ｃ］の拡大断面図である。
【図６】本発明の照明器具を電球に適用した場合の第２実施形態を示す部分縦断面図である。
【図７】図６中のＤ−Ｄ線断面図である。
【図８】本発明の照明器具を電球に適用した場合の第３実施形態を示す横断面図である。
【図９】本発明の照明器具を電球に適用した場合の第４実施形態を示す側面図である。
【図１０】図９中のＥ−Ｅ線断面図である。
【図１１】本発明の照明器具を電球に適用した場合の第５実施形態を示す横断面図である。
【発明を実施するための形態】
【００２８】
以下、本発明の光源装置および照明器具を添付図面に示す好適な実施形態に基づいて詳細に説明する。
【００２９】
＜第１実施形態＞
図１は、本発明の照明器具を電球に適用した場合の第１実施形態を示す斜視図、図２は、図１に示す電球の部分縦断面図、図３は、図２中のＡ−Ａ線断面図、図４は、図２中のＢ−Ｂ線断面図、図５は、図４中の一点鎖線で囲まれた領域［Ｃ］の拡大断面図である。なお、以下では、説明の都合上、図１〜図３中（図６、図９についても同様）の上側を「上」または「上方」、下側を「下」または「下方」と言う。
【００３０】
図１に示す電球（照明器具）１は、いわゆる「ＬＥＤ電球」であり、例えば、家屋の天井に設置され、当該家屋内を照らす照明として用いられるものである。この電球１は、光源装置である本体１１と、口金１２と、カバー１３とで構成されている。以下、各部の構成について説明する。
【００３１】
図２、図３に示すように、本体１１は、筒状のハウジング（筐体）２と、ハウジング２内に収納された２枚の（一対の）基板３ａおよび３ｂと、基板３ａおよび３ｂにそれぞれ２つ設置された発光装置４と、各発光装置４からの光Ｌを反射するリフレクタ（光反射部）５と、ハウジング２内に収納されたインバータ回路６とを備えている。
【００３２】
口金１２は、ハウジング２の上端部（上端開口部２３）に設置されている。この口金１２は、ＪＩＳ規格等で規定され、図示しない電球ソケットに装着されるものである。そして、この装着状態で、口金１２は、商用電源からの電力供給を受けることができる。
【００３３】
カバー１３は、ハウジング２の下端部（下端開口部２２）を覆うように設置されている。また、カバー１３は、例えば嵌合によりハウジング２に対し固定されている。
【００３４】
このカバー１３は、透明の樹脂材料またはガラス材料等で構成されている。なお、カバー１３には、各発光装置４からの光Ｌを拡散するために、凹凸が形成されていてもよい。また、カバー１３には、各発光装置４からの光Ｌにより励起されて発光する蛍光体が設けられていてもよい。
【００３５】
本体１１が有するハウジング２は、その両端が開口した、すなわち、その下端（一端）が開口した下端開口部（開口部）２２と、上端（他端）が開口した上端開口部２３とを有する筒体で構成されている。また、ハウジング２は、その中心軸２１方向の途中の部分の内径および外径が急峻に変化しており、下側の大径部２４と、上側の小径部２５とに分けることができる。
【００３６】
ハウジング２の大きさは、その内側に、基板３ａおよび３ｂ、各発光装置４、リフレクタ５、インバータ回路６等がまとめて収納することができる程度とされる。また、ハウジング２の大径部２４には、基板３ａおよび３ｂを一括して支持する支持部２６が設けられている。この支持部２６については後述する。
【００３７】
ハウジング２は、金属材料で構成され、具体的には、例えば、鉄、ニッケル、ステンレス鋼、銅、真鍮、アルミニウム、チタン、マグネシウム等の各種金属、またはこれらを含む合金を用いることができ、これらの中でも特にアルミニウムが好ましい。アルミニウムは、比較的熱伝導率が高い材料である。アルミニウムでハウジング２を構成した場合、当該ハウジング２は、放熱性に優れたものとなる。さらに、ハウジング２の外側表面にアルマイト処理等の化学的あるいは物理的処理を行うと熱輻射効率が高くなり、放熱性の観点から好ましい。
【００３８】
図２、図３に示すように、ハウジング２の大径部２４には、平面視で長方形をなす基板３ａおよび３ｂが発光装置４ごと収納されている。基板３ａおよび３ｂは、裏面（一方の面）３８１同士が間隙３９を介して互いに対向配置され、この対向状態のままハウジング２の中心軸２１と平行に支持部２６により支持されている。
【００３９】
また、基板３ａおよび３ｂは、それぞれ、その表面（他方の面）３８２に２つの発光装置４が搭載され、リード線２０を介してインバータ回路６と電気的に接続されている。インバータ回路６の制御により、各発光装置４が発光する。
【００４０】
図２に示すように、このような基板３ａおよび３ｂは、これらの間、すなわち、間隙３９を中心軸２１が通るように配置されている。これにより、基板３ａ上にある各発光装置４からの光Ｌと、基板３ｂ上にある各発光装置からの光Ｌとが対称的に下方に向かって照射され、よって、例えば家屋内を均一に照らすことができる。
【００４１】
なお、間隙３９の間隙距離ｄは、０．５〜７．０ｍｍであるのが好ましく、２．０〜５．０ｍｍであるのがより好ましい。これにより、例えば、各発光装置４が発光するのに伴って生じた熱が、間隙３９内の空気を介して、基板３ａから基板３ｂへ、または、その反対に基板３ｂから基板３ａへ伝達するのが防止または抑制される。
【００４２】
基板３ａと基板３ｂとの構成は、同一であるため、以下、基板３ａについて代表的に説明する。
【００４３】
図５に示すように、基板３ａは、金属層３１ａと、金属層３１ａ上に形成された樹脂層３３とを有する積層体で構成されている。
【００４４】
金属層３１ａを構成する金属材料としては、特に限定されないが、例えば、ハウジング２の構成材料と同様の金属材料、特に、銅、アルミニウム、マグネシウム、またはこれらを含む合金を用いるのが好ましい。
【００４５】
また、樹脂層３３を構成する樹脂材料としては、特に限定されないが、例えば、熱硬化性樹脂である、エポキシ樹脂、フェノール樹脂、ユリア樹脂、メラミン樹脂、ポリエステル（不飽和ポリエステル）樹脂、ポリイミド樹脂、シリコーン樹脂、ポリウレタン樹脂等が挙げられ、これらのうちの１種または２種以上を混合したものを用いることができる。さらに、前記樹脂材料で樹脂層３３を成形する際、当該樹脂材料中に、例えば、アルミナ等の金属酸化物、窒化ホウ素等の窒化物に代表される電気絶縁性かつ高熱伝導性フィラーを充填することもできる。
【００４６】
このような構成の基板３ａは、熱伝導性に優れたものとなる。これにより、各発光装置４が発光するのに伴って生じた熱は、当該発光装置４から遠ざかる方向に向かって、すなわち、支持部２６まで確実に伝達される。そして、この熱は、支持部２６を介して、さらにハウジング２へと伝達されることとなる。
【００４７】
そして、基板３ａでは、樹脂層３３上に導体パターン３４が形成されている。樹脂層３３は、金属層３１ａと導体パターン３４とを絶縁する絶縁層としての機能を有している。
【００４８】
導体パターン３４は、樹脂層３３の上面全面に積層された金属箔をエッチングにより所定のパターンに形成したものであり、例えば半田により発光装置４と電気的に接続されている。導体パターン３４は、導電性を有する金属材料で構成され、その材料としては、例えば、銅を好適に用いることができる。これにより、導体パターン３４は、比較的抵抗値が小さいものとなる。なお、導体パターン３４は、その少なくとも一部がソルダーレジスト層（図示せず）で覆われていてもよい。
【００４９】
前述したように、基板３ａ、３ｂには、それぞれ、その表面３８２に２つの発光装置４が配置されている。そして、これら２つの発光装置４同士は、水平方向（図３中の左右方向）離間している。
【００５０】
各発光装置４は、それぞれ、同じ構成であるため、以下、基板３ａ上の１つの発光装置４について代表的に説明する。
【００５１】
発光装置４は、エレクトロルミネセンス（ＥＬ）効果による発光と、蛍光による発光とを生じるものである。
【００５２】
図５に示すように、発光装置４は、凹部４１１を有するパッケージ４１と、パッケージ４１の凹部４１１の底面上に設けられた発光ダイオード素子（ＬＥＤチップ）４２と、発光ダイオード素子４２を覆うように凹部４１１内に封入された透光性樹脂部４３と、パッケージ４１の底部に設けられた１対の外部端子４４とを有する。
【００５３】
パッケージ４１は、樹脂材料やセラミックス材料等の絶縁性材料で構成された小片である。また、パッケージ４１には、発光ダイオード素子４２と１対の外部端子４４とを電気的に接続する配線（図示せず）が設けられている。
【００５４】
発光ダイオード素子４２は、パッケージ４１にＧａＡｌＮ、ＺｎＳ、ＺｎＳｅ、ＳｉＣＧａＰ、ＧａＡｌＡｓ、ＡｌＮ、ＩｎＮ、ＡｌＩｎＧａＰ、ＩｎＧａＮ、ＧａＮ、ＡｌＩｎＧａＮ等の半導体を発光層として形成させたものである。本実施形態では、発光ダイオード素子４２として、後述する透光性樹脂部４３に含まれる蛍光体材料を励起し得る波長の光を発するものが用いられる。より具体的には、発光ダイオード素子４２としては、青色の光を発するものが用いられる。
【００５５】
透光性樹脂部４３は、透明性を有するエポキシ樹脂、変性エポキシ樹脂、シリコーン樹脂、変性シリコーン樹脂、アクリレート樹脂、ウレタン樹脂、ポリイミド樹脂等の樹脂材料を主材料として構成されている。
【００５６】
また、本実施形態では、透光性樹脂部４３は、前述した発光ダイオード素子４２からの光により励起されて黄色に発光する蛍光体材料を含んでいる。
【００５７】
また、透光性樹脂部４３は、発光ダイオード素子４２を外力や埃、水分等から保護する機能を有する。
【００５８】
１対の外部端子４４は、導電性材料を主材料として構成されており、その一方の外部端子４４は、アノード電極（陽極）であり、他方の外部端子４４は、カソード電極（陰極）である。各外部端子４４は、それぞれ、Ａｌ、Ｔｉ、Ｆｅ、Ｃｕ、Ｎｉ、Ａｇ、Ａｕ、Ｐｔ等の金属材料を主材料として構成される。また、各外部端子４４は、それぞれ、半田（図示せず）により、基板３ａに設けられた導体パターン３４に接続されている。また、１対の外部端子４４の他に、放熱用の端子（図示せず）が設けられていてもよい。
【００５９】
このような発光装置４においては、１対の外部端子４４を介して発光ダイオード素子４２に電圧を印加すると、発光ダイオード素子４２でエレクトロルミネッセンス効果に基づく発光が起こる。この発光により、光Ｌは、透光性樹脂部４３を透過して、外部に放出される。このとき、その光Ｌの一部は、パッケージ４１の凹部４１１の内壁面に反射した後に、透光性樹脂部４３を透過して、外部に放出される。
【００６０】
また、発光装置４は、発光ダイオード素子４２のＥＬ効果により青色に発光するとともに、その青色の光の一部により透光性樹脂部４３が励起されて蛍光により黄色に発光し、補色関係にあるこれら青色光と黄色光との混合により白色発光する。
【００６１】
なお、発光ダイオード素子４２は、上述したものに限定されず、例えば、赤、青、緑等の単色の発光ダイオード素子であってもよい。この場合、透光性樹脂部４３から蛍光体材料を省略してもよい。また、発光装置４は、複数の発光ダイオード素子を有してもよく、この場合、発光色は互いに同じであっても異なっていてもよい。
【００６２】
図２に示すように、ハウジング２には、大径部２４の上端部から小径部２５にまたがって、インバータ回路６が収納されている。インバータ回路６は、口金１２から供給された電力を各発光装置４の発光に適した電力に変換（例えば、交流電圧１００Ｖを直流電圧２４Ｖに変換）する機能を有する。
【００６３】
インバータ回路６は、導体パターン（図示せず）が形成された回路基板６１と、回路基板６１上に設けられた複数の電子部品６２とを備え、リード線３０を介して口金１２に電気的に接続されている。電子部品６２としては、例えば、トランス、電界コンデンサ等がある。
【００６４】
電球１では、図示しない商用電源から口金１２を介して電力の供給を受けたインバータ回路６が複数の発光装置４を点灯させ、その光Ｌがカバー１３を介して外部に出射する。
【００６５】
このような構成のインバータ回路６は、樹脂材料で構成された絶縁性を有する筒状のケーシング４０内に収納されている。これにより、インバータ回路６とハウジング２との間の絶縁性が確保される。
【００６６】
なお、ケーシング４０内には、高熱伝導性フィラーを含有する樹脂材料が充填されていてもよい。この充填材により、インバータ回路６が封止され、当該インバータ回路６から発せられる熱をハウジング２に伝えることができる。そして、その熱をハウジング２から外部に放出することができる。充填材を構成する樹脂材料や高熱伝導性フィラーとしては、特に限定されないが、例えば、樹脂層３３についての説明で挙げた樹脂材料や高熱伝導性フィラーを用いることができる。
【００６７】
図２に示すように、ハウジング２の大径部２４の内周部２４１には、リフレクタ５が固定されている。このリフレクタ５は、各発光装置４からの光Ｌを反射するものである。なお、リフレクタ５のハウジング２に対する固定方法としては、特に限定されず、例えば、接着（接着剤や溶媒による接着）による方法、融着（熱融着、高周波融着、超音波融着等）による方法、嵌合による方法、ネジ止めによる方法等が挙げられる。
【００６８】
リフレクタ５は、湾曲凹面で構成された、すなわち、形状がすり鉢状（ドーム状）の鏡面５１を有している。この鏡面５１の内側に、各発光装置４がそれぞれ光Ｌの光軸が基板３ａ、３ｂの法線と平行となるように配置される（図２参照）。また、各発光装置４は、基板３ａ、３ｂに対しハウジング２の上端開口部２３側に偏在して、できる限り鏡面５１の奥側に配置された状態となっている。
【００６９】
このような位置関係により、各発光装置４からの光Ｌは、それぞれ、鏡面５１で過不足なく反射し、その反射光（光Ｌ）は、確実に下方へ向かうこととなる（図２参照）。このように光Ｌの出射方向の指向性が向上するため、光Ｌは、カバー１３（ハウジング２の下端開口部２２）を介して外方へ確実かつ均一に照射される。
【００７０】
また、前述したように鏡面５１が湾曲凹面で構成されていることにより、光Ｌで加熱された（温められた）、鏡面５１の内側の（鏡面５１で囲まれた）空間５２の空気に熱対流が容易に生じることとなる。これにより、当該空気が空間５２内を移動しながらリフレクタ５やカバー１３に接することができ、その際にリフレクタ５やカバー１３を介して熱が放熱される。このように電球１は、空間５２に熱がこもるのが確実に防止され、よって、放熱性に優れたものとなる。
【００７１】
リフレクタ５の構成材料としては、特に限定されないが、例えば、ハウジング２の構成材料と同様の金属材料、その他に樹脂材料も用いることができる。そして、鏡面５１の形成方法としては、特に限定されないが、例えば、リフレクタ５の鏡面５１を形成すべき部分にめっきを施し、さらに鏡面加工（鏡面研磨）を施す方法等が挙げられる。この方法の場合、リフレクタ５の鏡面５１となる部分に例えばミラー部材を別途設けるよりも、リフレクタ５の軽量化が図れる。
【００７２】
さて、図２〜図４に示すように、ハウジング２の大径部２４の内周部２４１には、基板３ａ、３ｂを支持する支持部２６が設けられている。この支持部２６は、基板３ａ、３ｂ同士を間隙３９を介して互いに対向させたままの状態（対向状態）でハウジング２の中心軸２１と平行に支持するものである。
【００７３】
支持部２６は、間隙３９に挿入される一対の小片２６１を有している。これらの小片２６１は、ハウジング２の中心軸２１を介して配置されている。そして、基板３ａと基板３ｂとが図３中の左右の各縁部３５で小片２６１を挟持している。さらに、この挟持状態の基板３ａ、３ｂおよび各小片２６１が、ボルト２６３およびナット２６４によって固定されて（ネジ止めされて）いる。これにより、基板３ａ、３ｂは、それぞれ、ハウジング２の内周部２４１に対し支持部２６を介して両持支持され、よって、支持部２６（ハウジング２内）から不本意に離脱するのが確実に防止される。
【００７４】
このような構成の支持部２６では、各小片２６１がそれぞれ基板３ａの裏面３８１にも当接し、基板３ｂの裏面３８１にも当接した状態となる。これにより、ハウジング２は、基板３ａ、３ｂとの接触面積をできる限り大きく確保することができる。そして、基板３ａ上の各発光装置４がそれぞれ発光に伴い発熱した際、その熱は、基板３ａおよび支持部２６を順に介してハウジング２に十分かつ確実に伝達される。同様に、基板３ｂ上の各発光装置４もそれぞれ発光に伴い発熱した際、その熱は、基板３ｂおよび支持部２６を順に介してハウジング２に十分かつ確実に伝達される。さらに、ハウジング２で受けた熱は、当該ハウジング２から外部に放熱される。このように電球１は、放熱性に優れたものとなっている。
【００７５】
また、基板３ａ（基板３ｂについても同様）上の各発光装置４がそれぞれ発熱した際、その熱は、基板３ａを介して、間隙３９内の空気にも伝達され、さらに当該空気から支持部２６に、その先のハウジング２も伝達されることとなる。このようにハウジング２に伝達された熱も当該ハウジング２から外部に放熱される。従って、電球１での放熱効率が向上する。
【００７６】
なお、各小片２６１は、それぞれ、ハウジング２の内周部２４１から一体的に突出形成されたものであってもよいし、ハウジング２と別体で構成され、当該別体をハウジング２に接合したものであってもよい。また、リフレクタ５には、各小片２６１との干渉を防止するために、当該小片２６１が挿入される（突出する）スリット５３が形成されている（図２参照）。
【００７７】
＜第２実施形態＞
図６は、本発明の照明器具を電球に適用した場合の第２実施形態を示す部分縦断面図、図７は、図６中のＤ−Ｄ線断面図である。
【００７８】
以下、これらの図を参照して本発明の光源装置および照明器具の第２実施形態について説明するが、前述した実施形態との相違点を中心に説明し、同様の事項はその説明を省略する。
【００７９】
本実施形態は、２枚で１組基板の設置数および各基板に対する支持部の支持形態が異なること以外は前記第１実施形態と同様である。
【００８０】
図６、図７に示す電球１Ａでは、基板３ａ、３ｂの組が２組、ハウジング２の中心軸２１回りに等角度間隔に、すなわち、中心軸２１を介して配置されている。
【００８１】
各組では、基板３ａおよび３ｂは、それぞれ、そのハウジング２の内周部２４１側の縁部３５が小片２６１にネジ止めされ、結果、片持支持された状態となっている。これにより、一方の組のハウジング２の中心軸２１側の縁部３５と、他方の組のハウジング２の中心軸２１側の縁部３５とが互いに離間し、これらに間に間隙３６が形成されている。
【００８２】
また、基板３ａ、３ｂには、それぞれ、表面３８２に１つの発光装置４が設置されている。
【００８３】
例えば、図７中の４つの発光装置４のうちの１つの発光装置４（図７中の符号「４’」が付された発光装置）が寿命で切れた場合、空間５２の基板３ａ、３ｂを介して図中右側の部分５２１と、左側の部分５２２とで温度差が生じる。そして、温度が高い部分５２２から、温度が低い部分５２１へ向かって空気が流れることとなり、前述した鏡面５１が湾曲凹面であることにより空気に熱対流が生じることと相まって、空間５２に熱がこもるのがより確実に防止される。これにより、電球１Ａは放熱性により優れたものとなる。なお、電球１Ａでは、間隙３６は「通気路」として機能するものであると言うことができる。
【００８４】
＜第３実施形態＞
図８は、本発明の照明器具を電球に適用した場合の第３実施形態を示す横断面図である。
【００８５】
以下、この図を参照して本発明の光源装置および照明器具の第３実施形態について説明するが、前述した実施形態との相違点を中心に説明し、同様の事項はその説明を省略する。
【００８６】
本実施形態は、２枚で１組基板の設置数が異なること以外は前記第２実施形態と同様である。
【００８７】
図８に示す電球１Ｂでは、４組の基板３ａ、３ｂがハウジング２の中心軸２１回りに等角度間隔に配置されている。これにより、例えば前記第２実施形態の電球１Ａよりも発光装置４の個数が増加し、その分、照度も増加することができる。このように、本実施形態の構造（４組の基板３ａ、３ｂの配置）は、照度を増加させたい場合に有効なものとなる。
【００８８】
＜第４実施形態＞
図９は、本発明の照明器具を電球に適用した場合の第４実施形態を示す側面図、図１０は、図９中のＥ−Ｅ線断面図である。
【００８９】
以下、これらの図を参照して本発明の光源装置および照明器具の第４実施形態について説明するが、前述した実施形態との相違点を中心に説明し、同様の事項はその説明を省略する。
本実施形態は、基板の形状が異なること以外は前記第１実施形態と同様である。
【００９０】
図９、図１０に示す電球１Ｃでは、基板３ｃ、３ｄには、それぞれ、その厚さ方向に貫通する多数の貫通孔３７が各発光装置４を囲むように形成されている。これらの貫通孔３７は、隣接する貫通孔３７同士の間隔（ピッチ）が同じとなるように行列状に配置されている。また、これらの貫通孔３７は、平面視で円形であり、その直径が互いに同じである。
【００９１】
例えば、図１０中の４つの発光装置４のうちの１つの発光装置４（図１０中の符号「４’」が付された発光装置）が寿命で切れた場合、空間５２の基板３ｃ、３ｄを介して図中上側の部分５２３と、下側の部分５２４とで温度差が生じる。そして、温度が高い部分５２３から、温度が低い部分５２４へ向かって空気が各貫通孔３７を介して流れることとなり、前記第２実施形態と同様に、前述した鏡面５１が湾曲凹面であることにより空気に熱対流が生じることと相まって、空間５２に熱がこもるのがより確実に防止される。これにより、電球１Ｃは放熱性により優れたものとなる。なお、電球１Ｃでは、各貫通孔３７はそれぞれ「通気路」として機能するものであると言うことができる。
【００９２】
また、例えば発光装置４’が切れた場合、部分５２３側で照らされる光Ｌと、部分５２４側で照らされる光Ｌとで照度の差が生じそうになるが、光Ｌは、各貫通孔３７を介して部分５２３と部分５２４との間を行き来することができるため、その結果、前記照度の差が生じるのを防止することができる。これにより、たとえ１つの発光装置４が切れたとしても、電球１Ｃからは全体として均一の光Ｌが照射され、よって、家屋内の光Ｌが当たる部分に明るい部分と暗い部分とが生じるのが防止される。
【００９３】
なお、貫通孔３７の形成には、例えば、打ち抜き加工を用いることができる。
また、各貫通孔３７は、それぞれ、その大きさが同じであるものに限定されず、例えば、互いに異なっていてもよい。
【００９４】
また、貫通孔３７の配設密度は、発光装置４から遠ざかる方向に向かって減少していてもよい。
【００９５】
＜第５実施形態＞
図１１は、本発明の照明器具を電球に適用した場合の第５実施形態を示す横断面図である。
【００９６】
以下、これらの図を参照して本発明の光源装置および照明器具の第５実施形態について説明するが、前述した実施形態との相違点を中心に説明し、同様の事項はその説明を省略する。
【００９７】
本実施形態は、各基板に対する支持部の形態が異なること以外は前記第１実施形態と同様である。
【００９８】
図１１に示す電球１Ｄでは、基板３ａ、３ｂを両持支持する支持部２６として、基板３ａ、３ｂ間に介挿される小片２６１の他に、当該小片２６１とともに、基板３ａの縁部３５を挟持する小片２６２ａと、基板３ｂの縁部３５を挟持する小片２６２ｂとがハウジング２の内周部２４１に突出形成されている。
【００９９】
また、基板３ａ、３ｂは、挟持片である小片２６１、２６２ａ、２６２ｂにネジ止めされている。これにより、基板３ａ、３ｂに対する挟持状態が維持され、よって、基板３ａ、３ｂが支持部２６から不本意に離脱するのが確実に防止される。
【０１００】
このような構成の支持部２６では、各小片２６１が基板３ａ、３ｂの裏面３８１に当接し、各小片２６２ａが基板３ａの表面３８２に当接し、各小片２６２ｂが基板３ｂの表面３８２に当接した状態となる。これにより、ハウジング２は、基板３ａ、３ｂとの接触面積をできる限りより大きく確保することができる。そして、基板３ａ上の各発光装置４がそれぞれ発光に伴い発熱した際、その熱は、基板３ａおよび支持部２６（小片２６１、２６２ａ）を順に介してハウジング２に十分かつ確実に伝達される。同様に、基板３ｂ上の各発光装置４もそれぞれ発光に伴い発熱した際、その熱は、基板３ｂおよび支持部２６（小片２６１、２６２ｂ）を順に介してハウジング２に十分かつ確実に伝達される。さらに、ハウジング２で受けた熱は、当該ハウジング２から外部に放熱される。このように電球１Ｄは、放熱性により優れたものとなっている。
【０１０１】
なお、各小片２６２は、それぞれ、ハウジング２の内周部２４１から一体的に突出形成されたものであってもよいし、ハウジング２と別体で構成され、当該別体をハウジング２に接合したものであってもよい。
【０１０２】
以上、本発明の光源装置および照明器具を図示の実施形態について説明したが、本発明は、これに限定されるものではなく、光源装置および照明器具を構成する各部は、同様の機能を発揮し得る任意の構成のものと置換することができる。また、任意の構成物が付加されていてもよい。
【０１０３】
また、本発明の光源装置および照明器具は、前記各実施形態のうちの、任意の２以上の構成（特徴）を組み合わせたものであってもよい。
【０１０４】
また、本発明の照明器具は、前述したように電球に適用することができ、その場合、例えば、ダウンライトなどの天井照明、スポットライトなどの間接照明、プロジェクタなどの発光光源に適用することができる。
【０１０５】
また、発光装置が設置される基板が、発光装置からの光を反射する機能を有していてもよい。
【符号の説明】
【０１０６】
１、１Ａ、１Ｂ、１Ｃ、１Ｄ  電球（照明器具）
１１          本体
１２          口金
１３          カバー
２            ハウジング（筐体）
２１          中心軸
２２          下端開口部（開口部）
２３          上端開口部
２４          大径部
２４１        内周部
２５          小径部
２６          支持部
２６１、２６２ａ、２６２ｂ  小片
２６３        ボルト
２６４        ナット
３ａ、３ｂ、３ｃ、３ｄ  基板
３１ａ        金属層
３３          樹脂層
３４          導体パターン
３５          縁部
３６          間隙
３７          貫通孔
３８１        裏面（一方の面）
３８２        表面（他方の面）
３９          間隙
４、４’      発光装置
４１          パッケージ
４１１        凹部
４２          発光ダイオード素子（ＬＥＤチップ）
４３          透光性樹脂部
４４          外部端子
５            リフレクタ（光反射部）
５１          鏡面
５２          空間
５２１、５２２、５２３、５２４  部分
５３          スリット
６            インバータ回路
６１          回路基板
６２          電子部品
２０、３０    リード線
４０          ケーシング
ｄ            間隙距離
Ｌ            光
【図１】
0005577901.tif 000002
【図２】
0005577901.tif 000003
【図３】
0005577901.tif 000004
【図４】
0005577901.tif 000005
【図５】
0005577901.tif 000006
【図６】
0005577901.tif 000007
【図７】
0005577901.tif 000008
【図８】
0005577901.tif 000009
【図９】
0005577901.tif 000010
【図１０】
0005577901.tif 000011
【図１１】
0005577901.tif 000012